(57)【要約】【課題】家庭から産業迄、無意識に使っている既存配管或は新規設備機器配管の、配管内流動物の移送に費やされた加圧エネルギーは、エネルギーの使い捨てであり、現代の省エネルギーに反し、他目的エネルギーの発電エネルギーへの有効利用の発電装備機器との併用はない。【解決手段】配管内を流動する、水道水や各種の管内流動エネルギーが周辺に氾濫している現在、このエネルギーは重要な発電エネルギーであり、この有効利用によってグローバルな地球環境保全に役立ち、クリーンで省エネルギー発電装置である。【選択図】図１
2014020363.tif 000002
【特許請求の範囲】
【請求項１】
既存設備の配管（１）内の流動物（２）には、上下水道水、温水、蒸気、時には空気、粉体等々がある。
本発明は、既存の配管（１）内での流動物（２）の加圧移送又は落下移送の既存動力（３）を利用して、配管（１）内に装着の傾斜翼回転羽根車（３）を流動物（２）によって回転させるものである。
その配管（１）内の流動物（２）が水であれば水力発電、気体は気体発電、加圧蒸気は蒸気発電、粉体等は粉体発電てあり、本発明は、民間住宅でも充分に利用が可能な発電でエネルギーコスト不要の発電である。
配管（１）内を目的によって流動する流動エネルギー（４）は使い捨てのエネルギーであり、そのエネルギーを利用して電気に変換する為に、配管（１）内の管内に、一定長さの傾斜翼回転羽根車（３）を装填し、傾斜翼回転羽根車（３）の受圧力の変化で、大きな回転力を生みだして発電するものである。
配管（１）の傾斜翼回転羽根車（３）の、羽根車装填管（５）を流動物（２）が流れて回転させ、羽根車軸（６）に直結或は増速器（７）経由して発電機（８）を回転させる。
羽根車軸（６）は、ベンド管（９）を貫通して発電機（８）に結続されるが、容量の大小によって傾斜翼回転羽根車（３）の長さを変え、大容量発電は長く、小容量発電は短くする事もある。
既存設備或は新規設備に挿入設置の発電機（８）の稼働によって、交流発電又は直流発電を行う、配管内流動物発電機。
【請求項２】
発電機（８）が、直流発電機（１０）の、配管内流動物発電機。
【請求項３】
発電機（８）が、交流発電機（１１）の、配管内流動物発電機。
【発明の詳細な説明】
【技術分野】
【０００１】  建築業界及び産業界で、既存又は新設の設備で、管移送の流動物体を利用した、クリーンエネルギーの発電装置である。
【背景技術】
【０００２】  近年、従来の原発、火力、水力の各発電環装置の各種欠点が大きくクローズアップされる中で、大規模な太陽光発電と風力発電等々も、電力売電システムの政策もあって、期限限定でで投資額と償却の関係成立で大規模で一部の企業で設置されている。【０００３】  小規模発電は、風力では小型風車で、水力では農業用水路等での流水で、家庭用及び公的設備、或いは種々の目的で使用されているが、いわゆる自然界エネルギー利用が主導である。【０００４】しかし、大規模工場の場合は、加工工程上で不可欠な加熱装置や冷却装置等々での種々エネルギーは使い捨てエネルギが全てで、現代社会で必要なエネルギーの有効利用意識に反し、その有効利用は皆無と言っても過言ではない。
【特許文献１】
【０００５】
【発明の表示】
【発明が解決しようとする課題】
【０００６】  太陽光発電は低効率発電の為に大面積を要し、その上に天気に左右され、風力発電はブレード回転による低周波音による健康被害と地域的形状での風速効率的な問題を有し、クリーンではあるが、両者共に発電コストは高価につき、国策決定価格でなければ設備償却不能とされるように、夫々非常に大きな欠点をもっており、高電力価格売電期限の２０年経過後の継続性は又暮不明である。
【０００７】  しかし、自然界の影響を受けない従来の人工的発電の全て、例えば、火力発電、内燃機発電、可燃廃棄物焼却発電等々を含めて、いずれも周辺設備からみれば、発電目的で膨大な設備投資が必要で、発電コスト的に個人家屋や中小企業では投資は不能である。
【０００８】  これらの各種発電の欠点を補う唯一のエネルギー利用の発電は、既存設備或は新規設備のなかで、他の目的で設置の管内流動物の移送エネルギーを有効に利用するしかない。
【課題を解決する手段】
【０００９】  発電の最善策はノーコストエネルギー発電であるが、この発電動力エネルギーは、生活空間及び生産工程で、既存動力エネルギーを利用すればノーコストエネルギーとなる。
【００１０】  家庭生活必需設備は、先ず朝夕の洗面、各食事調理水道使用、水洗トイレ、洗濯、風呂沸かし、これらは日常的行為であり、真夏のガーデニング放水等々での使用水、集合住宅では屋上貯水タンクからの清水供給は頻繁で、これが、産業界の企業設備になれば、その消費エネルギーは大きく、この管内流体エネルギーを放置する手はなく、
【００１１】  本発明は、これらの液体、気体、或いは粉体の既存又は新設配管内の、配管内流動エネルギーを利用し、最も効率の良い発電となる様に考察した。
【００１２】  つまり、既存の配管（１）内での流動物（２）の加圧移送又は落下移送の既存動力（３）を利用して、配管（１）内に装着の傾斜翼回転羽根車（３）を流動物（２）によって回転させ、羽根車軸（６）に直結或は増速器（７）経由して発電機（８）を回転させれば良い。
【００１３】  同時に、必要に応じて直流発電機（１０）又は交流発電機（１１）を選択設置する。
【発明の効果】
【００１４】  本発明は、発電目的以外で既設又は新設の、管内流動物の流動エネルギーを、発電にも利用することで、発電エネルギーはノーコストとなるもので、水は人間生活環境には不可欠でもあり、それに加えて産業界では職種によっては圧縮空気、工業用水等々の、現在の使い捨て人工エネルギー利用でクリーン発電ができ、グローバルな温暖化防止実践可能な発電システムである。
【００１５】  従来周知の太陽光発電或は風力発電での莫大な設備透視費用に比べて、現在使い捨てのエネルギーを利用することによって、初期投資費用の極限迄の節約にもつながる。
【００１６】  必要な種々物質の消費生活環境で、最低限の物質消費は避けられないが、使えば使う程に自動的に発電し、発電駆動エネルギーが省略される。
【００１７】
【発明を実施する為の最良の形態】
【００１８】  加圧移送の配管（１）内の流動物（２）は、全て目的毎に配管（１）内を加圧移送されており、その配管（１）内系統に、傾斜回転翼羽根車（３）が、配管（１）内の流動エネルギー（４）によって回転する羽根車装填管（５）を装着することによって、羽根車軸（６）が、時には増速器（７）経由で発電機（８）を回転して発電するものである。
【００１９】  加圧移送の配管（１）ラインが直管の場合、配管（１）内の羽根車軸（６）と、配管（１）外に０設置の増速器（７）又は発電機（８）との接続では、羽根車軸（６）はベンド管（９）を貫通しなければならないが、当然ながら配管（１）内部圧力に応じたシール材で配管（１）外への漏洩を防止し、直流発電機（１０）又は交流発電機（１１）のいずれかを使用する。
【００２０】  発電機（８）に、直流発電機（１０）を使用した場合には、直流電気を一旦蓄電池に蓄電して、交流電源に変換して電力を供給し、発電機（８）から直接電力供給する場合もあるが、必要消費電力量によって自由に選択出来る。
【００２１】  発電機（８）に、交流発電機（１１）を使用した場合には、発電機（８）の発電量と、必要消費電力量とのバランスによりって使用が可能である。
【００２２】  加圧移送の配管（１）の移送目的によっては、微細な配管内流量保持が必要なものもあるが、殆どが多少の流動量変化は可能で、一つの配管ラインに傾斜翼回転羽根車（３）を複数設置して、複数の発電機（８）を回転させる事も有る。
【００２３】  同時に羽根車軸（６）は、加圧移送管（１）の直管（８）の両端にベンド管（９）をメカニカルシール等で漏洩防止してベンド管（９）を貫通し、直管（８）部位には、加圧移送管（１）の内径と僅かな間隙を持たせて傾斜翼回転羽根車（３）を装填し、発電容量の大小によって傾斜翼回転羽根車（３）の長さを変え、大容量発電は長く、小容量発電は短くする事もある。
【００２４】  既存設備或は新規設備に挿入設置の発電機（８）の稼働によって、直流発電機（１０）又は交流発電機（１１）駆動し、電力種変換を要する場合は電気制御盤（１２）等の制御機器によって、交流又は直流に変換する事は周知に事実である。
【図面の簡単な説明】
【００２５】
【図１】一例として、工場冷却水等の加圧移送管（１）に装填される一般的な既存設備移送管に装着される発電装置の断面図、一部斜視図で、傾斜翼回転羽根車（３）に、螺旋翼を使用した例の断面図である。
【図２】一例として、工場冷却水等の加圧移送管（１）に装填される、一般的な、既存設備移送管に装着される発電装置の断面図、一部斜視図で、傾斜翼回転羽根車（３）に多段傾斜翼を使用した例の断面図である。
【符号の説明】
【００２６】  １    配管
２    流動物
３    傾斜翼回転羽根車
４    流動エネルギー
５    羽根車装填管
６    羽根車軸
７    増速器
８    発電機
９    ベンド管
１０  直流発電機
１１  交流発電機
１２  電気制御盤
【図１】
2014020363.tif 000003
【図２】
2014020363.tif 000004